(57)【要約】【課題】映像表示部に映像が表示されていない間は、映像表示部を遮蔽することで、黒色領域の圧迫感等により室内の雰囲気が損なわれるのを防ぐことのできる表示装置を提供すること。【解決手段】表示装置は、映像を表示可能な映像表示部４ａと、映像表示部の前面に位置する状態において、映像表示部の略全体を遮蔽する遮蔽領域を有する前面シートと、前面シートを移動させるシート移動手段１０，１１と、映像表示部における映像の表示及び非表示に連動してシート移動手段を制御し、映像が表示されていない間は遮蔽領域を映像表示部の前面に位置させ、映像が表示されている間は遮蔽領域を映像表示部の前面から退避させる制御手段と、を備える。【選択図】図３
2010035099.tif 000002
【特許請求の範囲】
【請求項１】
映像を表示可能な映像表示部と、
前記映像表示部の前面に位置する状態において、前記映像表示部の略全体を遮蔽する遮蔽領域を有する前面シートと、
前記前面シートを移動させるシート移動手段と、
前記映像表示部における映像の表示及び非表示に連動して前記シート移動手段を制御し、前記映像が表示されていない間は前記遮蔽領域を前記映像表示部の前面に位置させ、前記映像が表示されている間は前記遮蔽領域を前記映像表示部の前面から退避させる制御手段と、を備えることを特徴とする表示装置。
【請求項２】
前記遮蔽領域に画像が描かれていることを特徴とする請求項１に記載の表示装置。
【請求項３】
前記前面シートが前記遮蔽領域を複数有し、少なくとも１の遮蔽領域に画像が描かれていることを特徴とする請求項２に記載の表示装置。
【請求項４】
前記シート移動手段は、前記映像表示部の外側に配置されるとともに前記前面シートを巻き取って移動させることを特徴とする請求項１から請求項３のうちいずれか１項に記載の表示装置。
【請求項５】
前記前面シートに、前記表示部の前面に位置する状態において前記映像表示部の略全体を視認可能とする開口が形成され、
前記制御部は、前記映像が表示されている間は前記開口を前記映像表示部の前面に位置させることを特徴とする請求項１から請求項４のうちいずれか１項に記載の表示装置。
【請求項６】
前記前面シートは、透光性の材料で形成された透光性領域を有し、
前記制御部は、前記映像が表示されている間は前記透光性領域を前記映像表示部の前面に位置させて前記透光性領域を通して前記映像表示部の略全体を視認可能とすることを特徴とする請求項１から請求項４のうちいずれか１項に記載の表示装置。
【請求項７】
前記前面シートは、前記映像表示部の外側であって前記映像表示部を挟んだ両側を通るように前記移動手段に向けて延びるワイヤーを有し、
前記遮蔽領域が前記映像表示部の前面から退避した状態において、前記ワイヤーの間から前記映像表示部の略全体が視認可能であることを特徴とする請求項４に記載の表示装置。
【請求項８】
前記遮蔽領域に情報表示手段が設けられていることを特徴とする請求項１から請求項７のうちいずれか１項に記載の表示装置。
【請求項９】
前記情報表示手段は、電気的表示手段であることを特徴とする請求項８に記載の表示装置。
【請求項１０】
前記情報表示手段は、可撓性を有することを特徴とする請求項９に記載の表示装置。
【請求項１１】
前記情報表示手段に表示させる情報を受信するためのアンテナ部を備えることを特徴とする請求項８から請求項１０のうちいずれか１項に記載の表示装置。
【請求項１２】
前記情報表示手段を駆動させるバッテリーをさらに有し、
前記バッテリーは、前記映像が表示されている間に充電されることを特徴とする請求項８から請求項１１のうちいずれか１項に記載の表示装置。
【発明の詳細な説明】
【技術分野】
【０００１】
本発明は、表示装置、特に、映像を表示可能な映像表示部を有する表示装置の技術に関する。
【背景技術】
【０００２】
近年、テレビ等の表示装置における映像表示部（表示画面）は、より迫力のある映像を利用者に提供すべく大型化している。映像を表示していない間、つまり電源がオフとなっている間の映像表示部は、何も表示されない黒色領域となる。映像表示部の大型化により電源がオフとなっている間の黒色領域が、表示装置が設置された室内にいる人に圧迫感等を与え、室内の雰囲気を損ねる場合がある。
【０００３】
黒色領域による圧迫感等を解消するための技術としては、例えば、映像表示部を異なる大きさのものに交換することができるようにしたもの（特許文献１参照）や、映像表示部を鏡として利用できるようにしたもの（特許文献２参照）がある。
【０００４】
【特許文献１】特開２００７−３７１３６号公報
【特許文献２】特開２００３−２１９３２１号公報
【発明の開示】
【発明が解決しようとする課題】
【０００５】
しかし、特許文献１に記載のものは、交換用の映像表示部を保管するスペースが必要になるという問題がある。また、映像表示部を交換するのが面倒であるという問題もある。特許文献２に記載のものは、映像表示部が鏡となるので、室内の様子が写り込んだり、光が反射したりすることで、映像表示部の存在感が増して室内の雰囲気を一層損ねる場合がある。本発明は、上述の問題に鑑みてなされたものであり、映像表示部に映像が表示されていない間は、映像表示部を遮蔽することで、黒色領域の圧迫感等により室内の雰囲気が損なわれるのを防ぐことのできる表示装置を提供することを目的とする。
【課題を解決するための手段】
【０００６】
上述した課題を解決し、目的を達成するために、本発明に係る表示装置は、映像を表示可能な映像表示部と、映像表示部の前面に位置する状態において、映像表示部の略全体を遮蔽する遮蔽領域を有する前面シートと、前面シートを移動させるシート移動手段と、映像表示部における映像の表示及び非表示に連動してシート移動手段を制御し、映像が表示されていない間は遮蔽領域を映像表示部の前面に位置させ、映像が表示されている間は遮蔽領域を映像表示部の前面から退避させる制御手段と、を備える。
【０００７】
映像表示部に映像が表示されていない間は、前面シートの遮蔽領域で映像表示部を遮蔽するので、黒色領域による圧迫感等を軽減し、室内の雰囲気が損なわれるのを防ぐことができる。前面シートの遮蔽領域は、映像表示部に映像が表示されている間は、映像表示部の前面から退避しているので、利用者が映像を見るのに邪魔にならない。また、前面シートが映像表示部の表示及び非表示に連動して移動するので、利用者の手を煩わせることなく黒色領域による圧迫感等を軽減することができる。
【０００８】
また、本発明の好ましい態様としては、遮蔽領域に画像が描かれていることが望ましい。例えば、画像として風景画等が描かれていれば、部屋の美観を損なわずに、室内の雰囲気を和らげることもできる。
【０００９】
また、本発明の好ましい態様としては、前面シートが遮蔽領域を複数有し、少なくとも１の遮蔽領域に画像が描かれていることが望ましい。前面シートが遮蔽領域を複数有しているので、映像表示部を遮蔽する部分を適宜変更することができる。例えば、遮蔽領域ごとに異なる画像が描かれていれば、室内の雰囲気や利用者のその日の気分に合わせた画像が描かれた遮蔽領域を選択して映像表示部の前面に位置させることができる。これにより、室内の雰囲気の異なる部屋に設置することもでき、表示装置の汎用性を高めることができる。
【００１０】
また、本発明の好ましい態様としては、シート移動手段は、映像表示部の外側に配置されるとともに前面シートを巻き取って移動させることが望ましい。シート移動手段が映像表示部の外側に配置されて前面シートを巻き取るので、映像表示部の前面から退避した前面シートを映像表示部の外側にコンパクトに納めることができるとともに、映像を視認する際の邪魔にならないようにできる。
【００１１】
また、本発明の好ましい態様としては、前面シートに、表示部の前面に位置する状態において映像表示部の略全体を視認可能とする開口が形成され、制御部は、映像表示部に映像が表示されている間は開口を映像表示部の前面に位置させることが望ましい。開口を形成するという簡単な加工で、映像表示部に表示された映像を視認可能とする領域を前面シートに形成することができるので、製造コストを抑制することができる。
【００１２】
また、本発明の好ましい態様としては、前面シートは、透光性の材料で形成された透光性領域を有し、制御部は、映像が表示されている間は透光性領域を映像表示部の前面に位置させて透光性領域を通して映像表示部の略全体を視認可能とすることが望ましい。透光性領域が映像表示部の前面に位置するので、映像表示部を視認可能としつつ、透光性領域によって映像表示部を保護することができる。また、映像表示部を視認可能とする領域が開口ではなく透明材料で形成されるので、前面シートに開口を形成した場合に比べて前面シートを丈夫で耐久性の高いものにすることができる。
【００１３】
また、本発明の好ましい態様としては、前面シートは、映像表示部の外側であって映像表示部を挟んだ両側を通るように移動手段に向けて延びるワイヤーを有し、遮蔽領域が映像表示部の前面から退避した状態において、ワイヤーの間から映像表示部の略全体が視認可能であることが望ましい。前面シートを遮蔽領域からワイヤーが延びるという簡単な構成とすることができる。ワイヤーは比較的丈夫であるため移動手段による巻き取りが繰り返されても切断されにくく、表示装置の信頼性を高めることができる。また、ワイヤーは映像表示部の外側であって映像表示部を挟んだ両側を通っているため、映像表示部に映像が表示されている間は、ワイヤーの間から映像表示部を視認させればワイヤーが邪魔にならない。
【００１４】
また、本発明の好ましい態様としては、遮蔽領域に情報表示手段が設けられていることが望ましい。遮蔽領域に情報表示手段が設けられているので、映像表示部に映像が表示されていない間であっても、利用者は情報表示手段から様々な情報を得ることができ利便性を高めることができる。また、黒色領域となって圧迫感等を与えるにすぎなかった領域を、様々な情報を得ることができる領域として有効活用することができる。例えば、情報表示部に時刻情報や天気情報を表示させることができる。
【００１５】
また、本発明の好ましい態様としては、情報表示手段は、電気的表示手段であることが望ましい。情報表示手段が電気的表示手段であるので、電気的に情報を様々に変化させることができる。また、例えば電気的表示手段として反射型液晶表示装置を用いれば、消費電力を抑えて情報を表示させることができる。
【００１６】
また、本発明の好ましい態様としては、情報表示手段は、可撓性を有することがのぞましい。情報表示手段が可撓性を有するので、前面シートが移動手段によって巻き取られた場合であっても故障しにくくすることができる。これにより、情報表示手段を比較的大きなサイズで形成することもできる。
【００１７】
また、本発明の好ましい態様としては、情報表示手段に表示させる情報を受信するためのアンテナ部を備えることが望ましい。情報を受信するためのアンテナ部を備えるので、情報表示手段に最新の情報を表示させることができる。例えば、天気情報や株価情報のように時々刻々と変化する情報であっても最新の情報として表示させることができる。
【００１８】
また、本発明の好ましい態様としては、情報表示手段を駆動させるバッテリーをさらに有し、バッテリーは、映像が表示されている間に充電されることが望ましい。情報表示手段がバッテリーで駆動し、映像が表示されている間にバッテリーが充電されるので、映像が表示されていない間、すなわち表示装置の電源がオフとなっている間はコンセント等からの電力供給を必要とせずに情報表示手段を駆動させることができる。したがって、表示装置のいわゆる待機電力を抑えることができる。
【発明を実施するための最良の形態】
【００１９】
以下に図面を参照して、本発明の実施例を詳細に説明する。
【実施例】
【００２０】
図１は、本発明の実施例に係るテレビ受像機（表示装置）の概略構成を示す図である。また、図２は、テレビ受像機内部の概略構成を示す横断面図である。
【００２１】
テレビ受像機１は、筐体２、ディスプレイ本体４、前面シート６、制御装置（制御手段）８を備えて大略構成される。
【００２２】
筐体２は、テレビ受像機１の外郭を構成し、内部に収容されたディスプレイ本体４等の機器を保護する。筐体２の前面には内部に収容されたディスプレイ本体４の表示画面（映像表示部）４ａを視認可能とする窓部２ａが形成されている。筐体２には、主電源スイッチ２ｂが設けられている。主電源スイッチ２ｂが操作されるたびに、テレビ受像機１の主電源のオン・オフが切り替わる。
【００２３】
図３は、テレビ受像機の内部に収容されたディスプレイ本体４、前面シート６の概略構成を示す斜視図である。ディスプレイ本体４は、その一面がテレビ放送等の映像を表示可能な表示画面４ａとなっている。ディスプレイ本体４は、表示画面４ａを窓部２ａに向けるように筐体２内部に収容されており、利用者は表示画面４ａに表示された映像を、窓部２ａを通して見ることができる。なお、表示画面４ａは映像が表示されていない間は、何も表示されない黒色領域となる。
【００２４】
本実施例のテレビ受像機１には主電源のオン・オフの切り替えの他に映像電源のオン・オフの切り替えがある。映像電源のオン・オフは図示しないリモートコントローラの電源スイッチの操作によって主に切り替えられる。主電源が「オン」となることで、ディスプレイ本体４の表示画面４ａに映像を表示可能な待機状態となる。テレビ受像機１の主電源が「オン」となっている状態で、映像電源が「オン」となると表示画面４ａに映像が表示される。一方、主電源が「オン」となっている状態であっても、映像電源が「オフ」となっている場合には表示画面４ａに映像は表示されない。映像電源が「オン」となっていても主電源が「オフ」に切り替えられた場合には、表示画面４ａに映像が表示されなくなる。
【００２５】
前面シート６は、表示画面４ａの前面に移動可能に配置されたシート状の部材である。前面シート６は、ディスプレイ本体４の上下幅よりも大きな長さを有しており、その上下両端が表示画面４ａの外側であって表示画面４ａの上下に備えられた巻取り軸１０に巻き付けられている。表示画面４ａの上部側の巻き取り軸１０には、モータ１１の回転軸が連結されている。モータ１１の回転軸が回転すると巻き取り軸１０も回転し、前面シート６が表示画面４ａの前面を上下に移動する。このように、巻き取り軸１０とモータ１１とが協働して前面シート６を移動させるシート移動手段として機能する。表示画面４ａの下部側の巻き取り軸１０は、図示しない付勢手段によって前面シート６を巻き取る方向（矢印Ｘに示す方向。）に付勢されている。これにより、前面シート６は常に下方に引っ張られるため、前面シート６を表示画面４ａの前面にたるみなく位置させることができる。
【００２６】
図４は、前面シート６の展開図である。前面シート６は、第１遮蔽領域１２、第２遮蔽領域１４、開口１６を有して構成されている。
【００２７】
図５は、第１遮蔽領域１２、第２遮蔽領域１４、開口１６のそれぞれが表示画面４ａの前面に位置した状態を示すためのテレビ受像機１の正面図である。
【００２８】
第１遮蔽領域１２は、表示画面４ａの前面に位置する状態において、表示画面４ａの略全体を覆って遮蔽する。後に詳説するが、第１遮蔽領域１２は、表示画面４ａに映像が表示されていないときに表示画面４ａの前面に位置する。したがって、前面シート６の第１遮蔽領域１２が表示画面４ａの前面に位置する状態においては、利用者から表示画面４ａによる黒色領域が見えなくなる。また、第１遮蔽領域１２には表示画面４ａが配置される部屋、すなわち、テレビ受像機１が配置される部屋の壁紙の模様が画像として描かれている。
【００２９】
第２遮蔽領域１４も第１遮蔽領域１２と同様に、表示画面４ａの前面に位置する状態において、表示画面４ａの略全体を覆って遮蔽する。後に詳説するが、第２遮蔽領域１４も、表示画面４ａに映像が表示されていないときに表示画面４ａの前面に位置する。したがって、前面シート６の第２遮蔽領域１４が表示画面４ａの前面に位置する状態においては、利用者から表示画面４ａによる黒色領域が見えなくなる。また、第２遮蔽領域１４には画像として風景画が描かれている。なお、第１遮蔽領域１２、第２遮蔽領域１４に描かれる画像はこれらに限られず、例えば、写真であったり、全面が一色で塗られた無模様のものであったりしてもよい。
【００３０】
開口１６は、表示画面４ａと略同じ大きさで前面シート６に形成されており、開口１６が表示画面４ａの前面に位置する状態において、利用者は開口１６を通して表示画面４ａを視認することができる。後に詳説するが、開口１６は、表示画面４ａに映像が表示されているときに表示画面４ａの前面に位置する。したがって、前面シート６の開口１６が表示画面４ａの前面に位置する状態において、利用者は表示画面４ａに表示された映像を窓部２ａ及び開口１６を通して見ることができる。
【００３１】
制御装置８は、テレビ受像機１の主電源のオン・オフ、映像電源のオン・オフに連動してモータ１１を制御する。制御装置８は、主電源がオンとなっており、かつ映像電源がオンとなっている場合、すなわち表示画面４ａに映像が表示されている場合には前面シート６の開口１６を表示画面４ａの前面に位置させて遮蔽領域１２，１４を表示画面の前面から退避させるようにモータ１１を制御する。一方、映像電源がオフ、又は主電源がオフとなっている場合、すなわち表示画面４ａに映像が表示されていない場合には前面シート６の第１遮蔽領域１２又は第２遮蔽領域１４のいずれか一方を表示画面４ａの前面に位置させるようにモータ１１を制御する。
【００３２】
制御装置８には、表示画面４ａに映像が表示されていない場合に表示画面４ａの前面にいずれの遮蔽領域１２，１４を位置させるか予め記憶することができる。これにより、利用者の好みの違いや、室内の雰囲気の違いに合わせたいずれか一方の遮蔽領域を表示画面４ａの前面に位置させることができる。なお、制御装置８がランダムに表示画面４ａの前面に位置させる遮蔽領域を定めるように構成されていてもよい。
【００３３】
次に、図６に示すフローチャートを用いて、テレビ受像機１における映像表示及び前面シート６の移動の流れを説明する。
【００３４】
テレビ受像機１の主電源が「オフ」となっている間は遮蔽領域１２，１４のいずれかが表示画面４ａの前面に位置している。その状態で、テレビ受像機１の主電源が「オン」とされると（ステップＳ１）待機状態となる。次に、映像電源が「オン」とされると（ステップＳ２）、制御手段８によってモータ１１が制御されて、開口１６が表示画面４ａの前面に位置するように前面シート６が移動されて遮蔽領域１２，１４が表示画面４ａの前面から退避する（ステップＳ３）とともに、表示画面４ａに映像が表示される（ステップＳ４）。次に、映像電源が「オフ」とされると（ステップＳ５）、第１遮蔽領域１２又は第２遮蔽領域１４のいずれかが表示画面４ａの前面に位置するように前面シート６が移動され（ステップＳ６）、表示画面４ａの映像が非表示とされる（ステップＳ７）。ステップＳ５において映像電源が「オフ」とされないまま主電源が「オフ」とされた場合にも（ステップＳ８）、第１遮蔽領域又は第２遮蔽領域のいずれかが表示画面４ａの前面に位置するように前面シート６が移動され（ステップＳ６）、表示画面４ａの映像が非表示とされる（ステップＳ７）。また、ステップＳ８において主電源が「オン」のままであれば表示画面４ａに映像が表示されたままとなる。
【００３５】
以上のように、本実施例のテレビ受像機１は、表示画面４ａに映像が表示されていない間は、黒色領域となる表示画面４ａが前面シート６の遮蔽領域１２，１４で遮蔽されるので、黒色領域による圧迫感等を軽減し、室内の雰囲気が損なわれるのを防ぐことができる。さらに、遮蔽領域１２，１４に画像として描かれた風景画や模様によって、利用者が目にする遮蔽領域１２，１４を室内の雰囲気に馴染んだ自然なものとすることができる。
【００３６】
また、制御装置８が、表示画面４ａに対する映像の表示及び非表示に連動して前面シート６を移動させるので、利用者の手を煩わせることなく黒色領域による圧迫感等を軽減することができる。
【００３７】
なお、本実施例においては、表示画面４ａの上下に巻き取り軸１０を配置して、前面シート６を上下方向に移動させているが、巻き取り軸を左右に配置して前面シート６を左右に移動させても構わない。
【００３８】
また、前面シート６の移動方法も巻き取り軸１０によって巻き取る方法に限られず、例えば、ディスプレイ本体４を囲んだ筒状に前面シート６を構成し、その前面シート６を連続的に一方向に移動させるように構成してもよい。
【００３９】
また、前面シート６に遮蔽領域を２ヶ所設けているが、これに限られず、遮蔽領域が１ヶ所しか設けられていなくてもよいし、３ヶ所以上設けられていてもよい。
【００４０】
また、本実施例ではテレビ受像機１を表示装置として説明したが、これに限られず、例えばパーソナルコンピュータ用のディスプレイ機器を表示装置としてもよい。すなわち、映像が表示可能な映像表示部を有する表示装置であって、映像が表示されていない間は映像表示部が利用者に圧迫感等を与えてしまうような表示装置であれば本発明を適用することができる。
【００４１】
図７は、本実施例の変形例１に係る前面シート６の展開図である。本変形例１の前面シート６は、透光性の材料で形成された透光性領域１９を有している。ディスプレイ本体４の表示画面４ａに映像が表示されている間は、透光性領域１９を表示画面４ａの前面に位置させることで、利用者が透光性領域１９を通して表示画面４ａを見ることができる。表示画面４ａを視認可能とする領域が透明材料で形成されるので、前面シート６に開口１６を形成した場合に比べて前面シート６を丈夫で耐久性の高いものにすることができる。
【００４２】
また、透光性領域１９によって表示画面４ａを保護することもできる。また、透光性領域１９にアンチリフレクション（ＡＲ）処理を施すことで、室内の照明光の透光性領域１９での反射を低減して、透光性領域１９への光の映りこみ等により表示画面が見にくくなることを防ぐことができる。
【００４３】
図８は、本実施例の変形例２に係る前面シート６の展開図である。本変形例２の前面シート６は、遮蔽領域１２，１４を有するシート部１８と、シート部１８から巻き取り軸１０に向かって延びる一対のワイヤー２０とを有する。シート部１８が表示画面４ａの下方に退避した状態、すなわち表示画面４ａに映像が表示されている状態において、ワイヤー２０は表示画面４ａの外側であって表示画面４ａを挟んだ両側を通るように巻き取り軸１０に向かって延びる。したがって、利用者はワイヤー２０の間から表示画面４ａに表示された映像を見ることができる。ワイヤーは一般的に丈夫で耐久性も高いため、巻き取り軸１０による巻き取りが繰り返し行われても切断されにくく、テレビ受像機１の故障を減らして製品の信頼性を高めることができる。
【００４４】
図９は、本実施例の変形例３に係る前面シート６の展開図である。本変形例３の前面シート６は、遮蔽領域２２に時刻情報表示部（情報表示手段）２４、天気情報表示部（情報表示手段）２６を有している。また、前面シート６の裏面にアンテナ部２８、バッテリー３０を有している。
【００４５】
時刻情報表示部２４には反射型液晶表示装置（電気的表示手段）が用いられており、低消費電力で駆動させることができる。天気情報表示部２６には電子ペーパー（電気的表示手段）が用いられている。電子ペーパーは非常に薄い透明フィルム等が表示基板として用いられており、駆動部もシート上に形成されており、可撓性に優れている。したがって、巻き取り軸１０に巻き取られた場合であってもその可撓性によって故障しにくく、比較的大きなサイズで天気情報表示部２６を形成することができる。また、電子ペーパーは低消費電力で駆動させることができる。電子ペーパー以外にも、例えば、基板にプラスチック等を用いて可撓性を持たせた自発光表示手段である有機ＥＬディスプレイ等や電気泳動表示手段を用いてもよい。有機ＥＬディスプレイ等や電気泳動表示手段も低消費電力で駆動させることができる。
【００４６】
アンテナ部２８は、天気情報表示部２６に表示させる天気情報を受信する。アンテナ部２８が受信した最新の天気情報は信号線３２を通じて天気情報表示部２６に伝達され、天気情報表示部２８に表示された情報が最新の天気情報に更新される。
【００４７】
バッテリー３０は、時刻情報表示部２４及び天気情報表示部２６に駆動電力を供給する。バッテリー３０は、表示画面４ａに映像が表示されている間にコンセント等からテレビ受像機１に供給される電力で充電される。したがって、表示画面４ａに映像が表示されていない間、すなわち映像電源が「オフ」又は主電源が「オフ」となっている間の待機電力を抑えることができる。
【００４８】
以上説明したように本変形例３の前面シート６を備えるテレビ受像機１は、表示画面に映像が表示されていない間も、遮蔽領域２２に時刻情報や天気情報といった簡易な情報が表示されているため利便性の向上を図ることができる。また、アンテナ部２８を備えることでこれら簡易な情報を最新の情報に更新できるため、より一層の利便性向上を図ることができる。なお、情報表示部２４，２６に表示される情報は、時刻情報、天気情報以外の情報であってもよい。
【図面の簡単な説明】
【００４９】
【図１】本発明の実施例に係るテレビ受像機の概略構成を示す図。
【図２】テレビ受像機内部の概略構成を示す横断面図。
【図３】ディスプレイ本体、前面シートの概略構成を示す斜視図。
【図４】前面シートの展開図。
【図５】第１遮蔽領域、第２遮蔽領域、開口のそれぞれが表示画面の前面に位置した状態を示すためのテレビ受像機の正面図。
【図６】映像表示及び前面シートの移動の流れを説明するためのフローチャート。
【図７】変形例１に係る前面シートの展開図。
【図８】変形例２に係る前面シートの展開図。
【図９】変形例３に係る前面シートの展開図。
【符号の説明】
【００５０】
１  テレビ受像機（表示装置）、２  筐体、２ａ  窓部、２ｂ  主電源スイッチ、４  ディスプレイ本体、４ａ  表示画面（映像表示部）、６  前面シート、８  制御装置（制御手段）、１０  巻き取り軸（シート移動手段）、１１  モータ（シート移動手段）、１２  第１遮蔽領域、１４  第２遮蔽領域、１６  開口、１８  シート部、１９  透光性領域、２０  ワイヤー、２２  遮蔽領域、２４  時刻情報表示部（情報表示手段）、２６  天気情報表示部（情報表示手段）、２８  アンテナ部、３０  バッテリー、３２  信号線
【図１】
2010035099.tif 000003
【図２】
2010035099.tif 000004
【図３】
2010035099.tif 000005
【図４】
2010035099.tif 000006
【図５】
2010035099.tif 000007
【図６】
2010035099.tif 000008
【図７】
2010035099.tif 000009
【図８】
2010035099.tif 000010
【図９】
2010035099.tif 000011